(57)【要約】    【課題】音声認識装置において、言語辞書を更新した際、使用者はその都度新しい情報の記憶が要求され、この解決策として新旧両方の情報を言語辞書に記憶させておく方法も提案されているが、この場合は記憶装置が大容量となり、これに伴い、変換速度、変換精度への影響も懸念される。このため、使用者の負担を軽減した、言語辞書更新法を有する音声認識装置の実現が課題となっていた。    【解決手段】本発明においては、言語辞書を認識処理に使用する第１および更新処理に使用する第２の記憶手段を設置し、これら両記憶手段に記憶されている語彙の内容が同一対象の場合は、その旨を示す操作命令と共にこれら両語彙を第１記憶手段に記憶する構成を基本とした。また、辞書更新も語彙の使用履歴、更新後の経過時間に応じて更新方法を制御する構成とした。【選択図】  図１
2005037803.tif 000002
【特許請求の範囲】
【請求項１】
使用者により発話された音声信号を入力する音声信号入力手段と、
前記発話された音声信号の認識を行うために使用する音響辞書と、音声信号認識に使用される語彙１が記憶されている第１言語辞書と、前記語彙１に対応する機器操作命令とを記憶しておくための第１記憶手段と、
前記発話された音声信号を、前記音響辞書に含まれる情報と前記第１言語辞書に含まれる情報とを用いて分析し、入力された前記音声信号の認識処理を行う音声認識手段と、
前記第１言語辞書に含まれる情報を更新する言語辞書更新手段と、
前記第１言語辞書に含まれる語彙１を更新するための新しい語彙２が記憶されている第２言語辞書に含まれる情報を保存する第２記憶手段とを有してなり、
前記言語辞書更新手段は、前記第１記憶手段に記憶されている前記第１言語辞書内の情報に含まれる前記語彙１と、新たに入力され前記第２記憶手段に記憶されている前記第２言語辞書内の情報に含まれる前記語彙２とが同じ対象を示している場合、前記語彙１および前記語彙２の両者を第１言語辞書情報内の同一対象を示す語彙群として前記第１記憶手段に記憶させることを特徴とする音声認識装置。
【請求項２】
請求項１に記載の音声認識装置において、
前記第１記憶手段に記憶されている第１言語辞書内の情報に含まれる語彙１と前記第２記憶手段に記憶されている第２言語辞書内の情報に含まれる語彙２とが同じ対象を示す場合に、前記語彙１と前記語彙２の両方を第１言語辞書内の情報に含まれる同一の対象を示す語彙群として前記第１記憶手段に記憶させる以前においては、前記言語辞書更新手段により、音声認識処理を行う際の語彙１および語彙２の出現し易さに関するパラメータを操作して、前記語彙１の方が前記語彙２よりも出現し易くなるように調整することを特徴とする音声認識装置。
【請求項３】
請求項１に記載の音声認識装置において、
時刻検知手段を有し、
前記第１記憶手段に記憶されている前記第１言語辞書内の情報に含まれる前記語彙１と前記第２記憶手段に記憶されている前記第２言語辞書内の情報に含まれる前記語彙２とが同じ対象を示す場合に、前記語彙１と前記語彙２との両者を前記第１言語辞書内の情報に含まれる同じ対象を示す語彙群として前記第１記憶手段に記憶させた後、前記時刻検知手段によって予め定められた時間の経過したことが検出された場合には、前記言語辞書更新手段により、音声認識処理におけるこれら語彙の出現し易さに関するパラメータを操作して、前記語彙１の方が前記語彙２よりも出現し難くなるように調整することを特徴とする音声認識装置。
【請求項４】
請求項１に記載の音声認識装置において、
使用者の操作に関する履歴を検出する履歴検出手段を有し、
前記第１記憶手段に記憶されている前記第１言語辞書内の情報に含まれる前記語彙１と前記第２記憶手段に記憶されている前記第２言語辞書内の情報に含まれる前記語彙２とが同じ対象を示す場合であっても、前記語彙１は、使用者が過去に使用していない語彙であることが前記履歴検出手段によって検出された場合は、前記言語辞書更新手段により、前記語彙２のみを前記第１言語辞書内の情報に含まれるように前記第１記憶手段に記憶させることを特徴とする音声認識装置。
【請求項５】
請求項１に記載の音声認識装置において、
使用者の操作に関する履歴を検出する履歴検出手段を有し、
前記第１記憶手段に記憶されている前記第１言語辞書内の情報に含まれる前記語彙１と前記第２記憶手段に記憶されている前記第２言語辞書内の情報に含まれる前記語彙２とが同じ対象を示す場合であっても、前記語彙１が使用者に対して過去に案内していない語彙であることが前記履歴検出手段によって検出された場合は、前記言語辞書更新手段により、前記語彙２だけを前記第１言語辞書内の情報に含まれるように前記第１記憶手段に記憶させることを特徴とする音声認識装置。
【請求項６】
請求項１または請求項３記載の音声認識装置において、
前記第１記憶手段に記憶されている前記第１言語辞書内の情報に含まれる前記語彙１と前記第２記憶手段に記憶されている前記第２言語辞書内の情報に含まれる前記語彙２とが同じ対象を示し、かつ、前記語彙１と前記語彙２とに関連する情報が広範囲な場所を示している場合は、前記言語辞書更新手段が、前記語彙１と前記語彙２に関連する情報が狭範囲の場所を示している場合と比較して、使用者による語彙２の入力回数または第１言語辞書の更新時からの経過時間に応じて前記語彙１の方が前記語彙２よりも出現し難くなるように音声認識処理における語彙の出現し易さに関するパラメータを調整することを特徴とする音声認識装置。
【請求項７】
請求項１乃至請求項６の何れかに記載の音声認識装置において、
前記第１記憶手段に記憶されている前記第１言語辞書内の情報に含まれる前記語彙１と前記第２記憶手段に記憶されている前記第２言語辞書内の情報に含まれる前記語彙２とが同じ対象を示す場合に、前記第１言語辞書内の情報に含まれる前記語彙１と前記第２言語辞書内の情報に含まれる前記語彙２との両者を前記第１言語辞書内の情報として前記第１記憶手段に記憶させる操作１を行った後、使用者が、前記言語辞書更新手段において前記操作１が行われる以前から前記第２言語辞書内の情報に含まれていた前記語彙２を使用した場合は、前記言語辞書更新手段によって前記操作１が行われる以前から前記第１言語辞書内の情報に含まれていた前記語彙１を削除することを特徴とする音声認識装置。
【請求項８】
請求項１乃至請求項７の何れかに記載の音声認識装置において、
前記語彙１と前記語彙２はそれぞれ複数個の語彙を含む語彙群であることを特徴とする音声認識装置。
【請求項９】
請求項１乃至請求項８の何れかに記載の音声認識装置において、
情報出力手段を有し、
使用者が前記語彙１を使用した履歴が検出された場合は、前記語彙２の存在を使用者に対して前記情報出力手段を介して出力することを特徴とする音声認識装置。
【発明の詳細な説明】
【技術分野】
【０００１】
本発明は音声認識装置、特に認識処理に使用される言語辞書の更新を容易に実行し得る音声認識装置に係る。
【背景技術】
【０００２】
従来、音声認識装置における言語辞書は、仕様変更に伴い認識対象となる操作用の語彙が更新される度にその語彙を含む言語辞書全体の入れ替えが行われてきた。例えば、カーナビゲーションシステムに用いられる音声認識を用いたアプリケーションでは、住所入力や操作命令の入力等を扱うが、市区町村併合あるいは新しいランドマークの出現等により、従来割り当てられていた住所や施設名などが変更されるたびにＤＶＤ、ＨＤＤ等記憶媒体の内容を入れ替えた新しい記憶媒体を交換することにより、新たな住所名称や施設名称に対して音声による入力が可能となるようにされていた。
【発明の開示】
【発明が解決しようとする課題】
【０００３】
上記従来の方法においては、新しい記録媒体の内容について使用者は知識を有していることが要求されていた。然るに、使用者においては、新しい住所名称や施設名称等を全て記憶している場合は極めて少なく、言語辞書を変更する度に新たな名称を記憶しなければならなかった。また、市区町村合併などにより完全に新しい地名となった場合は、その全てを記憶することは困難であり、旧住所での入力を可能とした方が使用者にとって都合が良い場合も存在した。このような問題を簡単に解決する手法としては、旧住所と新住所の両方を言語辞書に登録する方法が提案されている。しかし、この手法では言語辞書としては新旧２倍の容量とこれら制御用のソフトウエアが必要となり記憶装置の肥大化を招き、従来と比較して大きいメモリ量が必要である上に、これに伴う認識率の低下あるいは認識に要する時間の長時間化の懸念があった。  
このため、本発明においては言語辞書の更新による入れ替え後でも入れ替え前の語彙が認識でき、更に、メモリ量、認識率あるいは認識時間に影響を与えない言語辞書の更新方法適用し得る音声認識装置を提供することを目的とした。
【課題を解決するための手段】
【０００４】
上記の目的を達成するために、本発明においては以下の基本構成としている。すなわち、入力音声信号を離散的な信号に変換した後、当該音声信号の認識処理を行うための音響辞書と、第１および第２の記憶手段を設け、第１記憶手段には入力音声信号を分析し認識するための語彙１が記録されている第１言語辞書が記憶されており、第２記憶手段には第１言語辞書に含まれている情報を更新するための語彙２を含む新しい情報が記録されている第２言語辞書が記憶されている。これら第１および第２の記憶手段に記憶されている語彙１と語彙２とが同じ対象を示している場合は、これら両語彙は同じ対象を示すものとして第１言語辞書に併記して記憶させる構成とした。
【発明の効果】
【０００５】
本発明の構成により、言語辞書そのものを交換することなく、言語辞書の更新部分のみを入換え、かつ入換え前の語彙との対応関係も認識できるようにしている。これにより、使用者はメモリ容量および認識処理時間の増大あるいは認識率の低下を来すことなく、言語辞書の更新が容易な音声認識装置を実現し得た。
【発明を実施するための最良の形態】
【０００６】
以下、図により本発明の構成を説明する。図１は本発明による音声認識処理で使用される各手段の配列を示すものであり、図２はこれを実現する音声認識装置の基本構成を示すものである。  
図１において、音声操作部１００では、使用者が発話した音声情報をもとに操作対象機器の操作を行うもので、その内容は、音声信号入力手段１０１、音声認識手段１０２および操作対象となる機器１０３とから構成されている。音声信号入力手段１０１では、使用者が発話した音声を収集し、電気信号として認識処理が可能な音声信号に変換する。この音声信号入力手段１０１の具体的な装置構成は図２の音声信号入力装置４１０、Ａ／Ｄ変換装置４２０に相当するもので、前者の音声信号入力装置４１０はマイクロホンおよび前置増幅器等から構成されており、後者のＡ／Ｄ変換装置４２０は実時間信号処理装置であるＡ／Ｄ変換器等によって構成されている。すなわち、ここで音声信号は収集され、Ａ／Ｄ変換を行って離散的なディジタル音声信号に変換される。
【０００７】
図１における音声認識手段１０２では、入力されディジタル音声信号に変換された音声信号を分析し入力音声信号の認識処理を行った後、例えばテキスト等別の情報形態に変換し、最終的には、操作対象となる機器１０３の操作命令に変換する。これらの処理は図２の演算装置４３０と記憶装置４５０を用いて実行される。演算装置４３０としては、例えば、一般的なパーソナルコンピュータ、マイクロコンピュータ、信号処理装置のように演算機能を有するシステムを構成するＣＰＵ、ＭＰＵ、ＤＳＰを単数、或いは複数個組み合わせることで実現出来、かつ実時間処理が可能な程度の演算能力を有していることが望ましい。また、記憶装置４５０としてはキャッシュメモリ、メインメモリ、ディスクメモリ、フラッシュメモリ、ＲＯＭ等の一般的な情報処理機器に用いられている情報記憶能力を有する機器が適用可能である。
【０００８】
図１における第１記憶手段２１０には、音声操作部１００の動作に必要とされる情報として音声認識処理に用いる音響辞書、語彙１を含む第１言語辞書、第１言語辞書に含まれる語彙１に対応する機器操作情報等が記録されており、図２の記憶装置４５０に含まれている。ここで、記憶装置４５０の一部として媒体への書込みができない再生専用のＲＯＭを用いることも可能であるが、語彙１に関しては以前から使用されてきた情報であり、第２記憶手段等に記憶されている新たな情報により書き換えられる内容のものであるから、少なくとも第１言語辞書が記録される媒体は書込みが可能であることが要求される。
【０００９】
図１における第２記憶手段２３０は、語彙２を含む第２言語辞書、第２言語辞書に含まれる語彙２に対応する機器操作情報等が記録されている。これも、図２の記憶装置４５０に含まれるものである。この語彙２を含む第２記憶手段は修正するための新しい情報を提供するものであり、この情報自体を書き換えることは無いため、第２記憶装置としては書き込みができない読み出し専用のＲＯＭを用いることは可能である。図１における言語辞書更新手段２２０は第１言語辞書の一括更新時、あるいは音声認識装置のシステム動作時に、更新内容に応じて様々な条件をトリガとして、第１言語辞書の内容を更新する。このトリガとしては、  
１）使用者による音声入力があったとき、
２）言語辞書更新時から予め定められた時間が経過したとき
があり、前者の１）には例えば語彙２を発話した場合、あるいは語彙２の発話回数が予め定められた回数に達した等の場合が含まれ、後者の２）には例えば第１言語辞書更新時から予め定められた時間が経過した場合等が含まれる。すなわち、言語辞書更新手段２２０は上記の語彙１、語彙２とで差が有り、これにより第１言語辞書の内容を更新する際の制御を行うものである。また、言語辞書更新手段２２０は図２における演算装置４３０と記憶装置４５０とによって実現される。
【００１０】
図１における時刻検出手段３１０は、第１言語辞書の一括更新時からの経過時間を計測し、予め定められた時間が経過した際に、言語辞書更新手段２２０に通知する。この時刻検出手段３１０としては一般に時計機能あるいはタイマー機能を有するものであればよく、図２における時計装置４６０に相当するもので、この具体的使用例については後述する。  
図１における履歴検出手段３２０は、使用者の操作履歴を記憶し、言語辞書更新手段２２０からの参照があったときに、その参照に対応する操作履歴を検索し、その検索結果を言語辞書更新手段２２０に戻す。この処理は、図２における演算装置４３０と記憶装置４５０によって実行される。  
図１における情報出力手段３３０は、言語辞書更新手段２２０の検出対象(すなわち、語彙１と語彙２との両者に共通した内容の操作命令)となっている操作に割り振られている語彙（例えば、後述の具体例における住所表示の更新が行われる語彙）が使用者によって用いられたとき、対話的に使用者が必要としている情報を、信号変換装置４４０を介して情報出力装置４７０に対応した信号に変換して出力する。これは図２の情報出力装置４７０に相当し、例えば、視覚ディスプレイに代表される視覚的な情報出力装置あるいは、スピーカ等に代表される聴覚的な情報出力装置が用いられる。
【００１１】
以上述べた装置構成により、音声認識処理に際して用いられる言語辞書の更新が行われるが、この更新処理は図３に示すように、音声認識装置のシステムが停止しているときに古い言語辞書を新しい言語辞書に更新するステップＳ１０と、音声認識装置のシステムが動作しているときに古い言語辞書を新しい言語辞書に更新するステップＳ２０の２段階ステップで実行される。  
図４は図３におけるステップＳ１０の、図５は図３におけるステップＳ２０の処理手順を示したものである。  
図３のステップＳ１０では音声認識装置が停止した状態で、古い言語辞書を新しい言語辞書に更新する場合で、この処理について図４を用いて説明する。
【００１２】
音声認識装置が起動（ステップＳ１００）されると、ステップＳ１１０において新たに更新する情報が記録されている言語辞書である第２言語辞書に含まれる内容から、１レコードに相当する情報を抽出する。ここで１レコードとは、例えば任意の機器操作情報に対応する単数または複数の操作命令を含む語彙２または第２語彙群を意味している。ステップＳ１２０ではステップＳ１１０で抽出された１レコードに対応するレコードを古い言語辞書が記憶されている第１言語辞書からも語彙１または第１語彙群を検索して抽出し、これら両レコードの内容を比較し、その差を求める。ここで第１言語辞書から検索して抽出するレコードとしては、例えば、第２言語辞書から抽出されたレコードの機器操作情報に対応する語彙２または第２語彙群を対象とする。また、比較処理は、第１言語辞書から抽出したレコードに含まれている語彙１または第１語彙群と、第２言語辞書から抽出したレコードに含まれている語彙２または第２語彙群の内容が示す対象の差異について行われる。これら２つのレコードを構成している語彙１、語彙２またはこれらを含む語彙群が同じ対象を示す場合、すなわち差がない場合（Ｓ１２０でＮｏ）、語彙１および語彙２の両者を第１言語辞書に含まれる同一の対象を示す語彙群として第１記憶手段に記憶させた後（ステップＳ１２１）、ステップＳ１１０の入力側に戻り、次の入力待ちの状態となる。また、差がある場合（Ｙｅｓ）、すなわち対象が異なる場合にはステップＳ１３０に進む。
【００１３】
ステップＳ１３０では、ステップＳ１２０で抽出された第１言語辞書のレコードを構成している語彙群に含まれる各語彙の使用履歴を調べる。このとき、使用履歴に存在しなければ（Ｎｏ）ステップＳ１３１を経由して最初（ステップＳ１１０の入力側）の状態に戻り、使用履歴に存在すれば（Ｙｅｓ）次のステップＳ１４０に進む。ここで、ステップＳ１３１では、第１言語辞書のレコードを構成している語彙群に含まれる各語彙が使用履歴に存在しないため、第２言語辞書から抽出されたレコードに含まれる語彙２または第２語彙群を、新たに第１言語辞書の対応するレコードとして登録する。一方、ステップＳ１４０では、第１言語辞書のレコードを構成する語彙１または第１語彙群と第２言語辞書のレコードを構成する語彙２または第２語彙群とを、機器操作情報に対応する語彙１、語彙２または第１語彙群、第２語彙群として、新しい第１言語辞書の対応するレコードにこれら両語彙または語彙群を登録する。ここで、これら語彙１および語彙２は同一対象を指すものであることを示す操作命令が図示していないが付加されている。最後に、ステップＳ１５０では第２言語辞書のレコードを全て検索したか否かを調べ、未検索のレコードが残っていれば（Ｎｏ）Ｓ１１０に進み、全レコードについて検索が完了しておれば（Ｙｅｓ）更新処理を終了（Ｅｎｄ）する。
【００１４】
次に、図３におけるステップＳ２０では、音声認識装置のシステムを動作した状態で言語辞書の内容を切換える処理が実行される。以下、図５を用いて音声認識装置のシステムが動作した状態で、言語辞書の内容を切換える処理の手順について説明する。  
ステップＳ２０においては、既にステップＳ１０の処理が完了しており、したがってシステムが起動された状態にある（Ｓｔａｒｔ）。ステップＳ２１０では、図３におけるステップＳ１０の処理後から予め定められた時間が経過しているか否かをチェックする。この結果、予め定められた時間が経過していると判断された場合（Ｙｅｓ）はステップＳ２１１に進み、語彙１と語彙２について、語彙２の出現確率が高くなるような重み付け処理が行なわれる。この処理は一般には出現確率のみならず他語彙からの遷移確率も含む謂わば出現し易さに関するパラメータの操作を意味している。また、一定の時間経過がないと判断された場合（Ｎｏ）はステップＳ２２０に進み、音声入力の有無すなわち発話が行われたか否かを検出する。発話が検出された場合にはステップＳ２３０に進む。ステップＳ２３０では、音声認識における一連の認識処理が行われ、このときの出力として機器操作のための操作命令が送出され、次にステップＳ２４０に進む。
【００１５】
ステップＳ２４０では、ステップＳ２３０から送出された操作命令として、第１言語辞書に語彙１と語彙２とが含まれているか否かをチェックする。語彙１と語彙２の両者が共に第１記憶手段に記憶されている場合（Ｙｅｓ）はステップＳ２５０に進み、含まれていない場合は発話待ちの状態に戻りステップＳ２２０を繰り返す。ステップＳ２５０では、ステップＳ２３０において送出された操作命令をステップＳ２５０から送出するための入力となった操作命令が語彙１に含まれているか否かをチェックする。語彙１に含まれている場合（Ｙｅｓ）はＳ２５１に進み、語彙１に対応する語彙２の存在を音声ガイダンスあるいは表示等を用いて使用者に報せる。語彙１に含まれず語彙２のみであった場合（Ｎｏ）はＳ２６０に進み、使用者に対して、語彙１を削除することを報せた上で、語彙１を削除する。このとき、使用者に語彙１および語彙２の何れを用いるかを選択させることも可能である。
【００１６】
以下、言語手段更新手段２２０による第１言語辞書更新の各種手順を実際の操作命令に適用した例について説明する。  
図６は同じ地点を指す地名が、旧言語辞書である第１言語辞書と新言語辞書である第２言語辞書との間で異なっていた場合における更新後の第１言語辞書の内容を示している。ここでは旧住所表示（語彙１)と新住所表示（語彙２）とが第１言語辞書内にそれぞれ併記されており、図示していないが、これらが一つの地点であることを示す操作命令が含まれている。旧言語辞書、すなわち更新前の第１言語辞書には、旧住所表示である「埼玉県浦和市北浦和１丁目」、「埼玉県浦和市鹿手袋１丁目」等が語彙１として含まれている。一方、第２言語辞書では、新住所表示である「さいたま市浦和区北浦和１丁目」、「さいたま市南区鹿手袋１丁目」等が語彙２として含まれている。更新後の第１言語辞書では、上記２つの語彙１および語彙２とが一つの地点を示す操作命令と共に登録されている。このとき、旧住所が記述されている語彙１の出現確率をＰｏとし、新住所が記述されている語彙２の出現確率をＰｎとすれば、語彙１および語彙２が第１記憶手段に記憶される以前においてはＰｏ＞Ｐｎの関係を満たすように調整されている。一方、第１言語辞書に記憶させた後、予め定められた時間が経過したことが検知された場合には、Ｐｏ＜Ｐｎとなるように出現確率に関する重み付けを変更する。
【００１７】
図７では、音声認識システムの停止中に言語辞書の一括更新を行う処理（すなわち図３におけるステップＳ１０の状態）において、旧言語辞書において一度も用いたことがなく、使用者に対する名称の案内も行なわれなかった地点に関する言語辞書の更新結果を示す。すなわち、図１における履歴検出手段３２０により、第１記憶手段に記憶されている第１言語辞書内の情報に含まれる語彙１が過去に使用されていないことが検出された場合には、更新後も旧住所に関する情報すなわち語彙１は使用されることはないとして、語彙１と同じ対象を示す新しい語彙２のみを第１言語辞書に記憶する。また、過去においても語彙１を使用者に案内した履歴がない場合も同様に今後も語彙１に関しては案内することがないとみなして語彙２のみを第１言語辞書に記憶する。また、使用者が過去に語彙１を使用した履歴が検出された場合は、語彙２の存在を使用者に対して図２に示した情報出力装置を介して出力し告知するようにした。
【００１８】
図８では、音声認識システムが動作している状態で、第１言語辞書の内容を切換える処理において、使用者が新住所表示を用いて目的とする地点を入力することにより更新された第１言語辞書の更新の状況を示している。すなわち、使用者が新住所表示の名称「さいたま市浦和区北浦和１丁目」を入力することによって、旧住所表示の名称「埼玉県浦和市北浦和１丁目」が、更新後の辞書においては削除されている。
【００１９】
図６に示した更新後の第１言語辞書に対して、広範囲な場所を示す語彙２が入力された場合、範囲をより限定した狭範囲な場所を示す語彙２を入力した場合に比べて、語彙１のほうが語彙２よりも出現し難くなるように、これら語彙の使用回数あるいは更新後の経過時間等に応じて、漸次、緩やかに更新されるように各語彙の重み付け等出現し易さに関するパラメータを調整する。図９では、使用者が、広範囲の内容を示す新住所表示の名称「さいたま市浦和区」を発話したときの言語辞書の更新例について示している。このとき、更新後の第１言語辞書においては、「さいたま市浦和区」以下の階層の語彙群、すなわち新住所表示で、「さいたま市浦和区」に対応する狭範囲な住所表示を含む旧住所表示を含む旧住所を全て削除している。  
図８、９の処理を実行するに際して、語彙を削除する場合は、使用者に対して削除する語彙の情報を通知する。さらに、このとき使用者に削除の有無を判断させても良い。
【図面の簡単な説明】
【００２０】
【図１】本発明における処理の実行手段を示すブロック図。
【図２】図１による音声認識装置の基本構成図。
【図３】本発明における処理手順を示す基本フロー図。
【図４】図３におけるシステム停止時の処理実行のフロー図。
【図５】図３におけるシステム動作時の処理実行のフロー図。
【図６】本発明における言語辞書更新状況を示す第１言語辞書の内容を示す一例図。
【図７】図４の処理において、使用履歴がない語彙に対する一括処理の内容を示す一例図。
【図８】図５の処理において、第１言語辞書の内容を切換える処理の内容を示す一例図。
【図９】新住所表示の一部を発話した際の辞書更新処理の内容を示す一例図。
【図１】
2005037803.tif 000003
【図２】
2005037803.tif 000004
【図３】
2005037803.tif 000005
【図４】
2005037803.tif 000006
【図５】
2005037803.tif 000007
【図６】
2005037803.tif 000008
【図７】
2005037803.tif 000009
【図８】
2005037803.tif 000010
【図９】
2005037803.tif 000011